【手続補正書】
【提出日】平成23年12月20日(2011.12.20)
【手続補正１】
【補正対象書類名】特許請求の範囲
【補正対象項目名】全文
【補正方法】変更
【補正の内容】
【特許請求の範囲】
【請求項１】
無線通信システムにおいてヘッダ圧縮機能を行うプロトコル階層において受信側に送信されるデータブロックを生成する方法であって、
前記方法は、
上位階層から受信されたデータパケットを含む第１下位階層データブロックを生成することと、
制御パケットを含む第２下位階層データブロックを生成することと
を含み、前記第１下位階層データブロックおよび前記第２下位階層データブロックは、それぞれ、対応する下位階層データブロックが前記データパケットまたは前記制御パケットを含むかどうかを示すインジケータを含み、
前記第２下位階層データブロックは、前記制御パケットがヘッダ圧縮フィードバック情報を含むかどうかを示すタイプ指示情報をさらに含み、
前記第１下位階層データブロックは、前記データパケットを暗号化することと、前記インジケータを前記暗号化されたデータパケットに追加することとによって生成され、一方で、前記第２下位階層データブロックは、前記制御パケットを暗号化することなしに、前記インジケータと前記タイプ指示情報とを前記制御パケットに追加することによって生成される、方法。
【請求項２】
前記ヘッダ圧縮フィードバック情報は、前記受信側から受信されたデータブロックのヘッダ圧縮に関連している、請求項１に記載の方法。
【請求項３】
前記タイプ指示情報は、前記制御パケットが、前記受信側から受信された少なくとも１つのデータブロックに対する状態情報を含むかどうかをさらに示す、請求項２に記載の方法。
【請求項４】
前記制御パケットおよび前記データパケットを生成することは、前記ヘッダ圧縮機能を行うエンティティによって実行される、請求項２に記載の方法。
【請求項５】
前記第１下位階層データブロックは、シーケンス番号を含み、一方で、前記第２下位階層データブロックは、シーケンス番号を含まない、請求項１〜４のいずれかに記載の方法。
【請求項６】
前記インジケータは、前記第１下位階層データブロックのヘッダに含まれ、前記タイプ指示情報および前記インジケータは、前記第２下位階層データブロックのヘッダに含まれる、請求項５に記載の方法。
【請求項７】
ヘッダ圧縮機能を行うプロトコル階層において送信側によって送信されるデータブロックを受信側によって受信する方法であって、
前記方法は、
前記データブロックに含まれるインジケータに基づいて、前記データブロックが、前記送信側のプロトコル階層のデータパケットまたは制御パケットを含むかどうかを決定することと、
前記データブロックが前記制御パケットを含むことを前記インジケータが示す場合に、前記データブロックに含まれるタイプ指示情報に基づいて、前記制御パケットがヘッダ圧縮フィードバック情報を含むかどうかを決定することと
を含み、
前記データブロックが前記データパケットを含む場合には、前記データパケットは、解読され、前記受信側の上位階層に転送され、
前記データブロックが前記制御パケットを含む場合には、前記制御パケットは解読されない、方法。
【請求項８】
前記データブロックが前記データパケットを含む場合には、前記データパケットは、前記タイプ指示情報を含まない、請求項７に記載の方法。
【請求項９】
前記ヘッダ圧縮フィードバック情報は、前記受信側から前記送信側に送信されたデータブロックのヘッダ圧縮に関連している、請求項８に記載の方法。
【請求項１０】
前記制御パケットが、前記受信側から受信された少なくとも１つのデータブロックに対する状態情報を含むかどうかは、前記タイプ指示情報に基づいて、前記受信側のプロトコル階層においてさらに決定される、請求項８に記載の方法。
【請求項１１】
前記データブロックは、前記データブロックが前記圧縮されたパケットを含む場合にはシーケンス番号を含み、前記データブロックは、前記データブロックが前記制御パケットを含む場合にはシーケンス番号を含まない、請求項７〜１０のいずれかに記載の方法。
【請求項１２】
前記インジケータおよび前記タイプ指示情報は、前記データブロックのヘッダに含まれる、請求項１１に記載の方法。
【請求項１３】
前記データブロックから前記ヘッダを除去することをさらに含む、請求項１２に記載の方法。
【請求項１４】
無線通信システムにおいて受信装置に送信されるデータブロックを生成する送信装置であって、
前記送信装置は、プロセッサを備え、前記プロセッサは、
上位階層から受信されたデータパケットを含む第１下位階層データブロックを生成することと、
制御パケットを含む第２下位階層データブロックを生成することと
を行うように構成され、前記第１下位階層データブロックおよび前記第２下位階層データブロックは、それぞれ、対応する下位階層データブロックが前記データパケットまたは前記制御パケットを含むかどうかを示すインジケータを含み、
前記第２下位階層データブロックは、前記制御パケットがヘッダ圧縮フィードバック情報を含むかどうかを示すタイプ指示情報をさらに含み、
前記プロセッサは、前記データパケットを暗号化し、前記インジケータを前記暗号化されたデータパケットに追加することによって前記第１下位階層を生成するように構成され、一方で、前記プロセッサは、前記制御パケットを暗号化することなしに、前記インジケータと前記タイプ指示情報とを前記制御パケットに追加することによって前記第２下位階層データブロックを生成するように構成される、送信装置。
【請求項１５】
無線通信システムにおいて送信装置によって送信されるデータブロックを受信する受信装置であって、
前記受信装置は、プロセッサを備え、前記プロセッサは、
前記データブロックに含まれるインジケータに基づいて、前記データブロックが、前記送信装置の上位階層のデータパケットまたは制御パケットを含むかどうかを決定するように構成され、そして、
前記データブロックが前記制御パケットを含むことを前記インジケータが示す場合に、前記データブロックに含まれるタイプ指示情報に基づいて、前記制御パケットがヘッダ圧縮フィードバック情報を含むかどうかを決定するように構成され、
前記データブロックが前記データパケットを含む場合には、前記プロセッサは、前記データパケットを解読し、前記解読されたデータパケットを前記受信装置の上位階層に転送するように構成され、
前記データブロックが前記制御パケットを含む場合には、前記プロセッサは、前記制御パケットを解読しないように構成される、受信装置。
【手続補正２】
【補正対象書類名】明細書
【補正対象項目名】００２０
【補正方法】変更
【補正の内容】
【００２０】
本発明の他の様相によるデータブロック構成方法は、無線通信システムの伝送側から受信側に伝送されるデータブロックを生成する方法において、上位階層データブロックにヘッダ圧縮を行なうプロトコルエンティティで、前記受信側から伝送されたデータブロックと関連した制御情報を含む制御パケットを生成する段階と、前記生成された制御パケットに含まれた前記制御情報のタイプを指示するタイプフィールドを含むヘッダ及び前記制御パケットを含む第１データブロックを生成する段階と、を含んで構成されることができる。
例えば、本発明は以下の項目を提供する。
（項目１）
無線通信システムにおいてヘッダ圧縮機能を有するプロトコル階層で受信側へ伝送されるデータブロックを生成する方法であって、
制御情報を含む制御パケット及び上位階層データブロックにヘッダ圧縮を行なって生成された圧縮パケットのうち少なくとも一つを生成する段階と、
上記制御パケットが生成された場合、上記生成された制御パケットに含まれた制御情報のタイプ（ｔｙｐｅ）を指示するタイプ指示情報及び上記制御パケットを含む第１下位階層データブロックを生成する段階と、
を含む、データブロック生成方法。
（項目２）
上記制御パケット及び上記圧縮パケットのうち少なくとも一つを生成する段階は、上記ヘッダ圧縮機能を行なうエンティティにより行なわれることを特徴とする、項目１に記載のデータブロック生成方法。
（項目３）
上記圧縮パケットが生成された場合、上記圧縮パケットに含まれたデータが使用者データであることを指示する指示子及び上記圧縮パケットを含む第２下位階層データブロックを生成する段階をさらに含むことを特徴とする、項目１に記載のデータブロック生成方法。
（項目４）
上記第１下位階層データブロックは、上記制御パケットに含まれたデータが制御データであることを指示する指示子をさらに含むことを特徴とする、項目１に記載のデータブロック生成方法。
（項目５）
上記タイプ指示情報及び上記指示子は、上記第１下位階層データブロックのヘッダに含まれることを特徴とする、項目４に記載のデータブロック生成方法。
（項目６）
上記圧縮パケットに暗号化（ｃｉｐｈｅｒｉｎｇ）を行なう段階をさらに含むことを特徴とする、項目３に記載のデータブロック生成方法。
（項目７）
上記制御パケットに暗号化を行なわないことを特徴とする、項目１に記載のデータブロック生成方法。
（項目８）
上記第２下位階層データブロックは、一連番号（ＳＮ：ｓｅｑｕｅｎｃｅ  ｎｕｍｂｅｒ）を含み、上記第１下位階層データブロックは、一連番号を含まないことを特徴とする、項目３に記載のデータブロック生成方法。
（項目９）
上記制御パケットに含まれた上記制御情報は、上記上位階層データブロックと関連していない情報であることを特徴とする、項目１に記載のデータブロック生成方法。
（項目１０）
上記制御情報は、上記受信側から伝送されたデータブロックと関連しているヘッダ圧縮フィードバック情報であり、上記タイプ指示情報は、上記制御情報のタイプが上記ヘッダ圧縮フィードバック情報であることを指示することを特徴とする、項目９に記載のデータブロック生成方法。
（項目１１）
上記制御情報は、上記受信側から伝送されたデータブロックに対する状態情報であり、上記タイプ指示情報は、上記制御情報のタイプが上記状態情報であることを指示することを特徴とする、項目９に記載のデータブロック生成方法。
（項目１２）
無線通信システムの伝送側から受信側へ伝送されるデータブロックを生成する方法であって、
上位階層データブロックにヘッダ圧縮を行なうプロトコルエンティティで、上記受信側から伝送されたデータブロックと関連した制御情報を含む制御パケットを生成する段階と、
上記生成された制御パケットに含まれた上記制御情報のタイプを指示するタイプフィールドを含むヘッダ及び上記制御パケットを含む第１データブロックを生成する段階と、
を含む、データブロック生成方法。
（項目１３）
上記制御情報は、上記受信側から伝送されたデータブロックと関連したヘッダ圧縮フィードバック情報であり、上記タイプ指示情報は、上記制御情報のタイプが上記ヘッダ圧縮フィードバック情報であることを指示することを特徴とする、項目１２に記載のデータブロック生成方法。
（項目１４）
上記制御情報は、上記受信側から伝送されたデータブロックに対する状態情報であり、上記タイプ指示情報は、上記制御情報のタイプが上記状態情報であることを指示することを特徴とする、項目１２に記載のデータブロック生成方法。
（項目１５）
上記プロトコルエンティティで上位階層データブロックにヘッダ圧縮を行なうことによってヘッダパケットを生成する段階と、
上記ヘッダパケットに暗号化を行なう段階と、
上記暗号化の行なわれたヘッダパケットにヘッダを付加して第２データブロックを生成する段階と、
をさらに含むことを特徴とする、項目１２に記載のデータブロック生成方法。